(57)【要約】【課題】磁性体コアを構成する複数のコア構成体同士を、確実に合体状態に保持する。【解決手段】フィルタケース１６は、複数のコア構成体１２を合体して構成される磁性体コア１１を収容するためのコア収容部２０と、複数のコア構成体１２を合体方向へ付勢する金属製の弾性押圧片２６とを備えている。弾性押圧片２６は、金属製なので、高温の環境下や温度変化の大きい環境下でも経年劣化することがなく、複数のコア構成体１２を確実に合体状態に保持することができる。【選択図】図１
2017037895.tif 000002
【特許請求の範囲】
【請求項１】
複数のコア構成体を合体して構成される磁性体コアを収容するためのコア収容部と、
前記複数のコア構成体を合体方向へ付勢する金属製の弾性押圧片とを備えていることを特徴とするフィルタケース。
【請求項２】
前記弾性押圧片と前記コア構成体との間には、絶縁受圧層が配されていることを特徴とする請求項１記載のフィルタケース。
【請求項３】
前記コア収容部の少なくとも一部が合成樹脂製であることを特徴とする請求項１又は請求項２記載のフィルタケース。
【請求項４】
前記弾性押圧片が、前記コア収容部を包囲する金属製の包囲部材に一体に形成されて、前記包囲部材から内周側へ突出した形態となっており、
前記コア収容部には、前記弾性押圧片を前記コア構成体の外周に当接させる開口部が形成されていることを特徴とする請求項３記載のフィルタケース。
【請求項５】
前記コア収容部が、金属製であって、前記弾性押圧片と一体に形成されていることを特徴とする請求項１又は請求項２記載のフィルタケース。
【請求項６】
前記コア収容部と前記コア構成体との間に、絶縁隔絶層が配されていることを特徴とする請求項５記載のフィルタケース。
【発明の詳細な説明】
【技術分野】
【０００１】
本発明は、フィルタケースに関するものである。
【背景技術】
【０００２】
特許文献１には、一対の半割状収容部を筒状に合体させ、その内部に磁性体コアを収容するための収容空間を形成したフィルタケースが開示されている。磁性体コアは導電路を挿通するための挿通孔を有するが、導電路を挿通孔に挿通する作業の煩わしさを勘案し、磁性体コアは、一対の半円筒形をなすコア構成体で構成されている。両コア構成体で導電路を挟むと、挿通孔に導電路が挿通される。
【先行技術文献】
【特許文献】
【０００３】
【特許文献１】特開２０１４−１１０３４３号公報
【発明の概要】
【発明が解決しようとする課題】
【０００４】
磁性体コアのノイズフィルタとしての性能を安定させるためには、一対のコア構成体を合体した状態で両コア構成体の周方向端面同士を確実に当接させる必要がある。そのための手段として、フィルタケースには、コア構成体を当接する方向へ付勢するための弾性押圧片が形成されている。ところが、弾性押圧片を含むフィルタケース全体が合成樹脂製であったため、高温の環境下や温度変化の大きい環境下での使用、あるいは経年劣化等が原因となり、弾性押圧片の付勢力が低下することが懸念される。
【０００５】
本発明は上記のような事情に基づいて完成されたものであって、磁性体コアを構成する複数のコア構成体同士を、確実に合体状態に保持することのできるフィルタケースを提供することを目的とする。
【課題を解決するための手段】
【０００６】
本発明のフィルタケースは、
複数のコア構成体を合体して構成される磁性体コアを収容するためのコア収容部と、
前記複数のコア構成体を合体方向へ付勢する金属製の弾性押圧片とを備えているところに特徴を有する。
【発明の効果】
【０００７】
弾性押圧片を金属製としたので、複数のコア構成体を確実に合体状態に保持することができる。
【図面の簡単な説明】
【０００８】
【図１】実施例１のフィルタケースの断面図
【図２】収容部材の側面図
【図３】包囲部材の側面図
【図４】実施例２のフィルタケースの断面図
【図５】フィルタケースの平面図
【図６】フィルタケースの側面図
【発明を実施するための形態】
【０００９】
（ａ）本発明のフィルタケースは、前記弾性押圧片と前記コア構成体との間には、絶縁受圧層が配されていてもよい。
この構成によれば、磁性体コアが導電性材料からなる場合でも、磁性体コアによるノイズフィルタ機能を安定させることができる。
【００１０】
（ｂ）本発明のフィルタケースは、前記コア収容部の少なくとも一部が合成樹脂製であってもよい。
この構成によれば、コア収容部を金属製にした場合に比べると、軽量化を図ることができる。
【００１１】
（ｃ）本発明のフィルタケースは、（ｂ）において、前記弾性押圧片が、前記コア収容部を包囲する金属製の包囲部材に一体に形成されて、前記包囲部材から内周側へ突出した形態となっており、前記コア収容部には、前記弾性押圧片を前記コア構成体の外周に当接させる開口部が形成されていてもよい。
この構成によれば、弾性押圧片を金属製の包囲部材に支持しているので、弾性押圧片をコア収容部の合成樹脂製部分に支持する場合に比べると、弾性押圧片による付勢機能の信頼性に優れている。
【００１２】
（ｄ）本発明のフィルタケースは、前記コア収容部が、金属製であって、前記弾性押圧片と一体に形成されていてもよい。
この構成によれば、コア収容部と弾性押圧片を別体の部品とした場合に比べると、部品点数を少なくすることができる。
【００１３】
（ｅ）本発明のフィルタケースは、（ｄ）において、前記コア収容部と前記コア構成体との間に、絶縁隔絶層が配されていてもよい。
この構成によれば、磁性体コアが導電性材料からなる場合でも、磁性体コアによるノイズフィルタ機能を安定させることができる。
【００１４】
＜実施例１＞
以下、本発明を具体化した実施例１を図１〜図３を参照して説明する。尚、本実施例１において、上下方向については、図１〜３にあらわれる向きをそのまま、上方、下方と定義する。左右方向については、図１にあらわれる向きを、そのまま左方、右方と定義する。前後方向については、図２，３における左右方向を、前後方向と定義する。
【００１５】
本実施例１のノイズフィルタ１０は、磁性体コア１１と、磁性体コア１１を収容するフィルタケース１６とによって構成されている。磁性体コア１１は、半円筒形をなす左右対称な一対のフェライト製のコア構成体１２を、円筒形に合体させて構成されたものである。合体状態では、一対のコア構成体１２の周方向における両端面１２Ｓが当接又は密着する。
【００１６】
また、コア構成体１２（磁性体コア１１）の外周面には、その全領域に亘り非導電性材料からなる絶縁層１３（請求項に記載の絶縁受圧層）が形成されている。磁性体コア１１には、同心円形をなす貫通形態の挿通孔１４が形成され、挿通孔１４には、導電路１５が貫通されている。ノイズフィルタ１０は導電路１５のノイズを低減する機能を発揮する。導電路１５としては、１本の可撓性を有する被覆電線、複数本の被覆電線を束ねたワイヤーハーネス、容易に変形し難い金属製のバスバー等がある。
【００１７】
フィルタケース１６は、合成樹脂製の収容部材１７と、金属製の包囲部材２５とを組み付けて構成されている。収容部材１７は、半円筒形をなす左右対称な一対の半円筒部１８をヒンジ部１９で連結した単一部品である。一対の半円筒部１８は、ヒンジ部１９を変形させながら合体させることにより、円筒形をなすコア収容部２０を構成している。したがって、コア収容部２０の全体は合成樹脂製である。また、各半円筒部１８には、夫々、その軸線方向（前後方向）の両端縁から径方向内向きに板状に張り出した形態の一対の離脱規制部２１が形成されている。
【００１８】
コア収容部２０の内部の空間、つまり一対の半円筒部１８と二対の離脱規制部２１とで囲まれた空間は、磁性体コア１１を収容するための収容空間２２となっている。収容空間２２内に収容された磁性体コア１１は、半円筒部１８（コア収容部２０）の内周面に当接することにより、径方向（上下左右方向）へのがたつきを防止されている。また、磁性体コア１１は、離脱規制部２１によって前後から挟まれることにより、前後方向（導電路１５の軸線方向）へ離脱することを規制されている。
【００１９】
各半円筒部１８には、その上下方向略中央部を略方形に切欠した形態の開口部２３が形成されている。開口部２３は、半円筒部１８の外周から内周へ貫通しているので、開口部２３においては、磁性体コア１１（絶縁層１３）の外周面がコア収容部２０の外部へ露出している。また、各半円筒部１８における開口部２３よりも上方の位置には、前後方向に細長いスリット状の位置決め孔２４が形成されている。位置決め孔２４は、半円筒部１８の外周面を凹ませた形態であり、半円筒部１８の内周まで貫通している。
【００２０】
包囲部材２５の正面形状は、全体として上端部が開放された円弧形をなしている。包囲部材２５には、左右対称な一対の弾性押圧片２６が一体に形成されている。弾性押圧片２６は、包囲部材２５の上下方向における略中央部を、部分的に内周側へ切り起こした形態であり、正面から視ると弾性押圧片２６は波形に湾曲した形状をなしている。包囲部材２５の左右一対の上端縁には、内周側へ略直角へ折り曲げてリブ状に突出させた形態の位置決め突起２７が形成されている。さらに、包囲部材２５には、その下端部から前後両方へ板状に突出した形態の取付部２９が形成されている。取付部２９には、その板厚方向（上下方向）に貫通する取付孔２９が形成されている。取付孔２９に貫通したボルト（図示省略）により、包囲部材２５（ノイズフィルタ１０）を車両ボディ（図示省略）等に固定することができる。
【００２１】
本実施例１のノイズフィルタ１０を組み付ける際には、まず、一対のコア収容部２０を開いた状態（一対の半円筒部１８を合体しない状態）で、一対のコア構成体１２を一対の半円筒部１８内に収容する。そして、コア構成体１２を収容したままで一対の半円筒部１８を合体させるとともに、一対のコア構成体１２の間に導電路１５を挟み込む。両半円筒部１８を合体させてコア収容部２０を構成すると、挿通孔１４内に導電路１５が挿通された状態になり、収容空間２２内に磁性体コア１１が収容された状態となる。
【００２２】
この後、両半円筒部１８を合体させた状態の収容部材１７に対し、包囲部材２５を前方又は後方から組み付ける。このとき、包囲部材２５をその下端部を略支点として左右へ弾性的に拡開変形させることにより、弾性押圧片２６がコア収容部２０と干渉するのを回避する。そして、収容部材１７と包囲部材２５が所定の位置関係に至ると、一対の位置決め突起２７が、一対の位置決め孔２４内に進入して係止する。この係止作用により、包囲部材２５と収容部材１７は、前後方向及び上下方向への相対変位を規制された状態に位置決めされる。尚、左右方向については、包囲部材２５が収容部材１７を左右から挟むように包囲するので、両者の相対変位が規制される。
【００２３】
同じく、収容部材１７と包囲部材２５が所定の位置関係に至ると、左右一対の弾性押圧片２６が、一対の開口部２３と対応するように位置し、磁性体コア１１（絶縁層１３）の外周面に対し弾性的に当接する。一対の弾性押圧片２６は、夫々、コア構成体１２の外周を径方向内側（つまり、磁性体コア１１の中心に向かう方向）へ個別に押している。したがって、一対のコア構成体１２は、その周方向における両端面１２Ｓを当接又は密着させる向きに付勢される。したがって、一対のコア構成体１２は合体状態に保持される。また、磁性体コア１１の外周には絶縁層１３が形成されているので、金属製の弾性押圧片２６とフェライト製の磁性体コア１１とが、直接的に接触することはない。
【００２４】
本実施例１のフィルタケース１６は、一対の（複数）のコア構成体１２を合体して構成される磁性体コア１１を収容するためのコア収容部２０と、一対のコア構成体１２を合体方向へ付勢する金属製の弾性押圧片２６とを備えている。この構成によれば、弾性押圧片２６を金属製としたので、フィルタケース１６（ノイズフィルタ１０）が高温の環境下や温度変化の大きい環境下で使用されても、弾性押圧片２６の付勢力が低下する虞はない。また、弾性押圧片２６を金属製としたことにより、合成樹脂製の物に比べて経年劣化が生じ難いので、この点においても、弾性押圧片２６の付勢力の低下を回避できる。これにより、一対（複数）のコア構成体１２を確実に合体状態に保持することができる。
【００２５】
また、弾性押圧片２６とコア構成体１２との間には、非導電性の絶縁層１３が配されている。したがって、磁性体コア１１が導電性材料であっても、磁性体コア１１によるノイズフィルタ１０機能を安定させることができる。また、コア収容部２０の全体（少なくとも一部）は合成樹脂製であるから、コア収容部２０を金属製にした場合に比べると、軽量化が実現されている。
【００２６】
また、弾性押圧片２６が、コア収容部２０を包囲する金属製の包囲部材２５に一体に形成されていて、包囲部材２５から内周側へ突出した形態となっている。そして、コア収容部２０には、弾性押圧片２６をコア構成体１２の外周に当接させるための開口部２３が形成されている。この構成によれば、弾性押圧片２６を金属製の包囲部材２５に支持しているので、弾性押圧片２６をコア収容部２０の合成樹脂製部分に支持する場合に比べると、弾性押圧片２６による付勢機能の信頼性に優れている。
【００２７】
＜実施例２＞
以下、本発明を具体化した実施例２を図４〜図６を参照して説明する。尚、本実施例２において、上下方向については、図４，６にあらわれる向きをそのまま、上方、下方と定義する。左右方向については、図４，５にあらわれる向きを、そのまま左方、右方と定義する。前後方向については、図５における上下方向と図６における左右方向を、前後方向と定義する。
【００２８】
本実施例２のノイズフィルタ３０は、磁性体コア３１と、磁性体コア３１を収容するフィルタケース３６とによって構成されている。磁性体コア３１は、半円筒形をなす左右対称な一対のフェライト製のコア構成体３２を、円筒形に合体させて構成されたものである。合体状態では、一対のコア構成体３２の周方向における両端面３２Ｓが当接又は密着する。
【００２９】
また、コア構成体３２（磁性体コア３１）の外周面には、その全領域に亘り非導電性材料からなる絶縁層３３（請求項に記載の絶縁受圧層、絶縁隔絶層）が形成されている。磁性体コア３１には、同心円形をなす貫通形態の挿通孔３４が形成され、挿通孔３４には、導電路３５が貫通されている。ノイズフィルタ３０は導電路３５のノイズを低減する機能を発揮する。導電路３５としては、１本の可撓性を有する被覆電線、複数本の被覆電線を束ねたワイヤーハーネス、容易に変形し難い金属製のバスバー等がある。
【００３０】
フィルタケース３６は、金属製の第１ケース構成体３７と、金属製の第２ケース構成体４７とを組み付けて構成されている。第１ケース構成体３７は、下方へ膨らむような第１半円筒部３８と、左右一対の側壁部３９と、左右一対の取付部４１と、左右一対の第１弾性押圧片４６（請求項に記載の弾性押圧片）とを一体に形成した単一部品である。一対の側壁部３９は、第１半円筒部３８の周方向における両端縁部から上方へ互いに平行に立ち上がった形態である。各側壁部３９は、第１半円頭部の周方向両端縁部に対し、第２半円筒部４８の板厚分だけ径方向外方（左右方向外側）へずれており、この位置ずれ形態により、第１半円筒部３８の周方向両端縁部内周に、係止部４３が形成されている。
【００３１】
各側壁部３９のうち前後方向中央部は、上方へ板状に突出した形態の立上り部４０となっている。各立上り部４０の上端縁からは、夫々、水平な板状をなす取付部４１が、左右方向（水平方向）外方へ延出している。各取付部４１には、その板厚方向に貫通した形態の取付孔４２が形成されている。取付孔４２に貫通したボルト（図示省略）により、包囲部材（ノイズフィルタ３０）を車両ボディ（図示省略）等に固定することができる。各側壁部３９には、夫々、その一部を窓孔状に切欠した形態の一対の係止孔４４が形成されている。一対の係止孔４４は、側壁部３９における立上り部４０よりも前方の位置と後方の位置とに配されている。
【００３２】
また、第１半円筒部３８には、その軸線方向（前後方向）の両端縁から径方向内向きに板状に張り出した形態の二対の離脱規制部４５が形成されている。第１半円筒部３８の前端に形成された一対の離脱規制部４５は、左右に間隔を空けて対称に配されている。一方、第１半円筒部３８の後端に形成された一対の離脱規制部４５も、前端側と同様、左右に間隔を空けて対称に配されている。
【００３３】
さらに、第１半円筒部３８には、左右対称な一対の第１弾性押圧片４６が一体に形成されている。一対の第１弾性押圧片４６は、第一半円筒部の左右方向中央よりも左右方向にずれた位置に分かれて配されている。第１弾性押圧片４６は、第一半円筒部の一部を、部分的に内周側（斜め上方）へ切り起こした形態である。正面から視ると第１弾性押圧片４６は波形に湾曲した形状をなしている。
【００３４】
第２ケース構成体４７は、上方へ膨らむような第２半円筒部４８と、左右一対の第２弾性押圧片４９（請求項に記載の弾性押圧片）と、第２半円筒部４８の前後両端縁から径方向内向きに延出した形態の前後二対の第２離脱規制部４５とが形成された単一部品である。一対の第２弾性押圧片４９は、左右対称であり、第２半円筒部４８を部分的に内周側へ切り起こした形態である。正面から視ると、第２弾性押圧片４９は、波形に湾曲した形状をなしている。また、一対の第２弾性押圧片４９は、上記一対の第１弾性押圧片４６に対し上下対称な形態となっている。
【００３５】
二対の第２離脱規制部４５は、第２半円筒部４８の軸線方向（前後方向）の両端縁から径方向内向きに板状に張り出した形態である。第２半円筒部４８の前端に形成された一対の離脱規制部４５は、左右に間隔を空けて対称に配されている。一方、第２半円筒部４８の後端に形成された一対の離脱規制部４５も、前端側と同様、左右に間隔を空けて対称に配されている。また、第２半円筒部４８の下端部には、その一部を外周側へ斜め上方へ突出するように切り起こした形態の前後一対の係止突起５０が形成されている。
【００３６】
本実施例２のノイズフィルタ３０を組み付ける際には、まず、第１ケース構成体３７内に一方のコア構成体３２を収容するともに、第２ケース構成体４７内に他方のコア構成体３２を収容する。そして、コア構成体３２を収容したままで第１ケース構成体３７と第２ケース構成体４７を上下に合体させるとともに、一対のコア構成体３２の間に導電路３５を挟み込む。第１ケース構成体３７の上から第２ケース構成体４７を合体させると、挿通孔３４内に導電路３５が挿通された状態になる。
【００３７】
両ケース構成体３７，４７を合体させた状態では、各係止孔４４に対し各係止突起５０が下から係止するとともに、第１ケース構成体３７の段差状の係止部４３に対し第２ケース構成体４７の周方向両端部が上から係止する。この係止作用により、両ケース構成体３７，４７が、上下方向への相対変位を規制されて合体状態に保持される。また、係止突起５０が係止孔４４の開口縁のうちの前後両縁部に係止することにより、両ケース構成体３７，４７が前後方向への相対変位を規制される。
【００３８】
第１ケース構成体３７と第２ケース構成体４７を合体させると、円筒形のコア収容部５１が構成される。このコア収容部５１の内部に空間、両ケース構成体３７，４７と前後二対の離脱規制部４５とで囲まれた空間は、磁性体コア３１を収容するための収容空間５２となっている。収容空間５２内に収容された磁性体コア３１は、半円筒部（コア収容部５１）の内周面に当接することにより、径方向（上下左右方向）へのがたつきを防止されている。また、磁性体コア３１は、離脱規制部４５によって前後から挟まれることにより、前後方向（導電路３５の軸線方向）へ離脱することを規制されている。
【００３９】
また、第１ケース構成体３７と第２ケース構成体４７を合体して、その内部の収容空間５２に磁性体コア３１が収容されると、左右一対の第１弾性押圧片４６が、下側のコア構成体３２（絶縁層３３）の外周面に対し弾性的に当接する。一対の第１弾性押圧片４６は、夫々、下側のコア構成体３２の外周を径方向内側（つまり、磁性体コア３１の中心に向かう方向）へ個別に押している。また、左右一対の第２弾性押圧片４９が、上側のコア構成体３２（絶縁層３３）の外周面に対し弾性的に当接する。一対の第２弾性押圧片４９は、夫々、上側のコア構成体３２の外周を径方向内側（つまり、磁性体コア３１の中心に向かう方向）へ個別に押している。
【００４０】
この一対の第１弾性押圧片４６と一対の第２弾性押圧片４９の押圧により、上下一対のコア構成体３２は、その周方向における両端面３２Ｓを当接又は密着させる向きに付勢される。したがって、一対のコア構成体３２は合体状態に保持される。また、磁性体コア３１の外周には絶縁層３３が形成されているので、金属製の弾性押圧片とフェライト製の磁性体コア３１とが、直接的に接触することはない。
【００４１】
本実施例２のフィルタケース３６は、一対の（複数）のコア構成体３２を合体して構成される磁性体コア３１を収容するためのコア収容部５１と、一対のコア構成体３２を合体方向へ付勢する金属製の弾性押圧片４６、４９とを備えている。この構成によれば、弾性押圧片を金属製としたので、フィルタケース３６（ノイズフィルタ３０）が高温の環境下や温度変化の大きい環境下で使用されても、弾性押圧片の付勢力が低下する虞はない。また、弾性押圧片を金属製としたことにより、合成樹脂製の物に比べて経年劣化が生じ難いので、この点においても、弾性押圧片の付勢力の低下を回避できる。これにより、一対（複数）のコア構成体３２を確実に合体状態に保持することができる。
【００４２】
また、弾性押圧片とコア構成体３２との間には、非導電性の絶縁層３３が配されている。したがって、磁性体コア３１が導電性材料であっても、磁性体コア３１によるノイズフィルタ３０機能を安定させることができる。また、コア収容部５１の全体（少なくとも一部）は合成樹脂製であるから、コア収容部５１を金属製にした場合に比べると、軽量化が実現されている。
【００４３】
また、コア収容部５１が、金属製であって、コア収容部５１を構成する第１ケース構成体３７には第１弾性押圧片４６が一体に形成され、第１ケース構成体３７とともにコア収容部５１を構成する第２ケース構成体４７には第２弾性押圧片４９が一体に形成されている。この構成によれば、コア収容部５１と弾性押圧片を別体の部品とした場合に比べると、部品点数を少なくすることができる。また、コア収容部５１とコア構成体３２との間には、非導電性の絶縁層３３が介在しているので、磁性体コア３１が導電性材料であっても、磁性体コア３１によるノイズフィルタ機能を安定させることができる。
【００４４】
＜他の実施例＞
本発明は上記記述及び図面によって説明した実施例に限定されるものではなく、例えば次のような実施例も本発明の技術的範囲に含まれる。
（１）上記実施例１，２では、絶縁受圧層（絶縁層）を磁性体コア（コア構成体）の外周に形成したが、絶縁受圧層は、弾性押圧片に形成してもよい。
（２）上記実施例１，２では、弾性押圧片とコア構成体との間に絶縁受圧層（絶縁層）を介在させたが、磁性体コアが非導電性材料からなる場合は、弾性押圧片とコア構成体との間に絶縁受圧層を介在させなくてもよい。
（３）上記実施例２では、絶縁隔絶層（絶縁層）を磁性体コア（コア構成体）の外周に形成したが、絶縁隔絶層は、弾性押圧片に形成してもよい。
（４）上記実施例２では、コア収容部とコア構成体との間に絶縁隔絶層（絶縁層）を介在させたが、磁性体コアが非導電性材料からなる場合は、コア収容部とコア構成体との間に絶縁隔絶層を介在させなくてもよい。
（５）上記実施例１では、コア収容部の全体を合成樹脂製としたが、コア収容部を、合成樹脂部品と金属部品とで構成してもよい。
（６）上記実施例１では、弾性押圧片を包囲部材に支持したが、弾性押圧片は、コア収容部によって支持されていてもよい。
（７）上記実施例１，２では、１つの磁性体コアに形成される挿通孔が１つだけであるが、本発明は、１つの磁性体コアに複数の挿通孔が形成されている場合にも適用できる。
（８）上記実施例１，２では、磁性体コアが一対のコア構成体によって構成されているが、本発明は、磁性体コアを構成するコンデンサの数が３つ以上である場合にも適用できる。
（９）上記実施例１，２では、磁性体コアがフェライト製であるが、本発明は、磁性体コアはフェライト以外の材料からなる場合にも適用できる。
【符号の説明】
【００４５】
１１，３１…磁性体コア
１２，３２…コア構成体
１３，３３…絶縁層（絶縁受圧層）
１６，３６…フィルタケース
２０，５１…コア収容部
２３…開口部
２５…包囲部材
２６…弾性押圧片
３３…絶縁層（絶縁受圧層、絶縁隔絶層）
４６…第１弾性押圧片（弾性押圧片）
４９…第２弾性押圧片（弾性押圧片）
【図１】
2017037895.tif 000003
【図２】
2017037895.tif 000004
【図３】
2017037895.tif 000005
【図４】
2017037895.tif 000006
【図５】
2017037895.tif 000007
【図６】
2017037895.tif 000008